(57)【要約】【課題】特に、夜間、犬等の動物を連れて外出する際に、動物の存在を知らしめる用途において有用な発光帯状体、及びこの発光帯状体と、飼い主が衣服に取り付ける発光ワッペンとの組合せからなる動物用外出セットを提供する。【解決手段】本考案の発光帯状体１０は、扁平な筒状体２０と、筒状体の長手方向に沿うように配設された複数の発光ダイオード１４と、を備え、発光ダイオードは、発光部１４ａ、幹部１４ｂ、及びアウターリード１４ｃを備え、筒状体には複数の発光ダイオードの取付孔１１ｂが穿設されるとともに、発光ダイオードは、発光部が取付孔から露出し、幹部、及びアウターリードが、筒状体内部に配置されて筒状体内部に充填された樹脂（樹脂固着部１３）にて固定されていることを特徴とする。【選択図】図１
0003122008.tif 000002
【実用新案登録請求の範囲】
【請求項１】
扁平な筒状体と、該筒状体の長手方向に沿うように配設された複数の発光ダイオードと、を備えた発光帯状体であって、
上記発光ダイオードは、発光部、幹部、及びアウターリードを備え、上記筒状体には複数の該発光ダイオードの取付孔が穿設されるとともに、
該発光ダイオードは、該発光部が該取付孔から露出し、該幹部、及び該アウターリードが、該筒状体内部に配置され、且つ該筒状体内部に充填された樹脂にて固着されていることを特徴とする発光帯状体。
【請求項２】
上記複数の発光ダイオードは相互にリード線により接続されており、該リード線は、上記筒状体内部に配置され、且つ該筒状体内部に充填された上記樹脂にて固定されている請求項１に記載の発光帯状体。
【請求項３】
上記筒状体の材質は、皮革、合成皮革、布又は合成樹脂である請求項２に記載の発光帯状体。
【請求項４】
上記筒状体は、帯状体が幅方向に丸められ、少なくとも縁部が重ね合わせられてなり、且つ該縁部が縫合されている請求項３に記載の発光帯状体。
【請求項５】
上記樹脂はホットメルト接着剤である請求項４に記載の発光帯状体。
【請求項６】
動物に装着される首輪、胴輪、又は該首輪若しくは該胴輪に取り付けられた引き綱として用いられる請求項５に記載の発光帯状体。
【請求項７】
上記動物は、犬、猫、兎、豚、狐、狸、小熊又は猿である請求項６に記載の発光帯状体。
【請求項８】
請求項７に記載の発光帯状体と、発光ワッペンとの組み合せからなり、該発光ワッペンは、ワッペン基材と、該ワッペン基材に配設された複数の発光ダイオードと、複数の該発光ダイオードの各々を接続するリード線と、該リード線に接続された電源部とを備えることを特徴とする動物用外出セット。
【請求項９】
上記発光ダイオードが、上記ワッペン基材に環状に配設された請求項８に記載の動物用外出セット。
【請求項１０】
上記筒状体に配設された上記発光ダイオード、及び上記ワッペン基材に配設された上記発光ダイオードの少なくとも一方が点滅するように制御される請求項９に記載の動物用外出セット。
【請求項１１】
上記筒状体に配設された上記発光ダイオード、及び上記ワッペン基材に配設された上記発光ダイオードが点滅し、且つ各々の該発光ダイオードの点滅周期が異なるように制御される請求項９に記載の動物用外出セット。
【請求項１２】
上記ワッペン基材に、更に上記動物の写真又は似顔絵が配設された請求項１０又は１１に記載の動物用外出セット。
【請求項１３】
上記ワッペン基材に、更に上記動物の名前が記載された請求項１２に記載の動物用外出セット。
【考案の詳細な説明】
【技術分野】
【０００１】
本考案は、発光帯状体及びこれを備える動物用外出セットに関する。更に詳しくは、本考案は、特に、夜間、犬等の動物を連れて外出する際に、動物の存在を知らしめる用途において有用な発光帯状体、及びこの発光帯状体と、人が衣服に取り付ける発光ワッペンとの組合せからなる動物用外出セットに関する。
【背景技術】
【０００２】
夜間は昼間と比べて暗く、また、降雨時等は更に暗くなるため、自動車を運転する人等から歩行者を視認し難くなる傾向があり、夜間は昼間に比べて交通事故が起こり易いという実情がある。このことは注意を払う意識が低くなりがちな動物においては尚更のことであり、犬等の動物は背高が低いこともあって、夜間、特に降雨時等に交通事故に遭遇し易いという問題がある。従って、夜間等に動物を連れて外出する際は、動物にも歩行者と同様に存在が目立つような手段が必要とされる。
【０００３】
このような、特に夜間等における交通事故から動物を保護するための発光要素付ペット用首輪及び引き紐が開示されている（例えば、特許文献１参照。）。この発光要素付ペット用首輪及び引き紐には、複数の発光ダイオードが備えられており、これらの発光ダイオードは首輪内部及び引き紐内部に設けられた電気配線により電源スイッチに接続されている。外出時には人が電源スイッチを入れることにより、発光ダイオードが発光し、夜間等であっても自動車を運転する人に動物の存在を知らしめることができる。
【０００４】
【特許文献１】特開２００３−１４８９３９号公報
【考案の開示】
【考案が解決しようとする課題】
【０００５】
しかし、動物は予想外の動きをすることがあり、人の意に反して急に走り出すことがあり、引き綱を強く引っ張ったりすることもある。このような場合、首輪又は引き紐に備えられた発光ダイオードが脱落したり、発光ダイオードを接続する電気配線が切断されたりすることがある。また、電気配線が降雨等により濡れてしまい、短絡して発光ダイオードが発光しなくなることもある。従って、発光ダイオード及び電気配線が首輪等に確実に固定されるとともに、特に電気配線の防水性を向上させる必要もある。
【０００６】
一方、夜間等における外出時の安全性を確保するためには、動物と人との信頼関係が重要である。動物と人との間に信頼関係があれば、動物は人に従順であり、人の意に反した行動をとることも少なくなる。この信頼関係を保つためには、動物と人とが一体感を持つことが必要であり、一体感が感じられれば、双方に安心感が生まれ、そのことが信頼関係に繋がることになる。
【０００７】
本考案は、上記の実情に鑑みてなされたものであり、特に、夜間等の暗いときに動物を連れて外出する際の安全性が向上し、且つ防水性に優れ、堅牢な首輪等として有用な発光帯状体、及び動物との一体感が感じられ、人の意に反した行動等が抑えられ、安全性が向上する動物用外出セットを提供することを課題とする。
【課題を解決するための手段】
【０００８】
本考案は、以下のとおりである。
１．扁平な筒状体と、該筒状体の長手方向に沿うように配設された複数の発光ダイオードと、を備えた発光帯状体であって、上記発光ダイオードは、発光部、幹部、及びアウターリードを備え、上記筒状体には複数の該発光ダイオードの取付孔が穿設されるとともに、該発光ダイオードは、該発光部が該取付孔から露出し、該幹部、及び該アウターリードが、該筒状体内部に配置され、且つ該筒状体内部に充填された樹脂にて固着されていることを特徴とする発光帯状体。
２．上記複数の発光ダイオードは相互にリード線により接続されており、該リード線は、上記筒状体内部に配置され、且つ該筒状体内部に充填された上記樹脂にて固定されている上記１．に記載の発光帯状体。
３．上記筒状体の材質は、皮革、合成皮革、布又は合成樹脂である上記２．に記載の発光帯状体。
４．上記筒状体は、帯状体が幅方向に丸められ、少なくとも縁部が重ね合わせられてなり、且つ該縁部が縫合されている上記３．に記載の発光帯状体。
５．上記樹脂はホットメルト接着剤である上記４．に記載の発光帯状体。
６．動物に装着される首輪、胴輪、又は該首輪若しくは該胴輪に取り付けられた引き綱として用いられる上記５．に記載の発光帯状体。
７．上記動物は、犬、猫、兎、豚、狐、狸、小熊又は猿である上記６．に記載の発光帯状体。
８．上記７．に記載の発光帯状体と、発光ワッペンとの組み合せからなり、該発光ワッペンは、ワッペン基材と、該ワッペン基材に配設された複数の発光ダイオードと、複数の該発光ダイオードの各々を接続するリード線と、該リード線に接続された電源部とを備えることを特徴とする動物用外出セット。
９．上記発光ダイオードが、上記ワッペン基材に環状に配設された上記８．に記載の動物用外出セット。
１０．上記筒状体に配設された上記発光ダイオード、及び上記ワッペン基材に配設された上記発光ダイオードの少なくとも一方が点滅するように制御される上記９．に記載の動物用外出セット。
１１．上記筒状体に配設された上記発光ダイオード、及び上記ワッペン基材に配設された上記発光ダイオードが点滅し、且つ各々の該発光ダイオードの点滅周期が異なるように制御される上記９．に記載の動物用外出セット。
１２．上記ワッペン基材に、更に上記動物の写真又は似顔絵が配設された上記１０．又は１１．に記載の動物用外出セット。
１３．上記ワッペン基材に、更に上記動物の名前が記載された上記１２．に記載の動物用外出セット。
【考案の効果】
【０００９】
本考案の発光帯状体は、複数の発光ダイオードを備え、且つこの発光ダイオードが樹脂により固定されているため、人が視認し易く、衝撃、被水等による発光ダイオードの脱落が防止され、優れた耐久性を有する。
また、複数の発光ダイオードが相互にリード線により接続されており、リード線が、筒状体内部に配置され、且つ筒状体内部に充填された上記樹脂にて固定されている場合は、リード線の断線等も防止され、より優れた耐久性を有する。
更に、筒状体の材質が、皮革、合成皮革、布、又は合成樹脂である場合は、筒状体を形成し易く、且つ容易に環状又は直線状等の自在な形状の発光帯状体とすることができる。
また、筒状体は、帯状体が幅方向に丸められ、少なくとも縁部が重ね合わせられてなり、且つ縁部が縫合されている場合は、この縁部での剥離が抑えられ、より耐久性に優れた発光帯状体とすることができる。
更に、樹脂がホットメルト接着剤である場合は、加熱により容易に流動し、筒状体に配置された発光ダイオードに塗布し易く、乾燥、固化も速やかであるため、作業性に優れるとともに、発光ダイオードを筒状体の内部に強固に固着させることができる。
また、動物に装着される首輪、胴輪、又は首輪若しくは胴輪に繋合された引き綱として用いられる場合は、夜間等に動物を連れて外出する際に、交通事故等から動物を保護することができる。
更に、動物が、犬、猫、兎、豚、狐、狸、小熊又は猿である場合は、散歩等の目的で連れて外出することも多く、その際に動物を交通事故等から保護することができる。
本考案の動物用外出セットは、発光帯状体と発光ワッペンとを備え、発光帯状体を首輪等として動物に装着し、発光ワッペンを人が衣服に装着することにより、動物及び人ともに発光ダイオードの発光により夜間等における外出時の安全性を高めることができ、且つともに発光ダイオードが配設された発光体を装着していることで、動物と人との一体感を高めることもできる。
また、発光ダイオードが、ワッペン基材に環状に配設された場合は、美観に優れた発光ワッペンとすることができる。
更に、筒状体に配設された発光ダイオード、及びワッペン基材に配設された発光ダイオードの少なくとも一方が点滅するように制御される場合は、自動車を運転する人等からより視認し易く、人及び動物ともに交通事故等から十分に保護される。
また、筒状体に配設された発光ダイオード、及びワッペン基材に配設された発光ダイオードが点滅し、且つ各々の発光ダイオードの点滅周期が異なるように制御される場合は、自動車を運転する人等から特に視認し易く、人及び動物ともに交通事故等からより十分に保護される。
更に、ワッペン基材に、動物の写真又は似顔絵が配設された場合は、アクセサリーとしてファッション性を高めることができ、動物用外出セットとしてより有用である。
また、ワッペン基材に、動物の名前が記載された場合は、人の動物に対する愛情も高まり、動物用外出セットとして特に有用である。
【考案を実施するための最良の形態】
【００１０】
以下、本考案を、例えば、図１〜１１を参照しつつ詳しく説明する。
［１］発光帯状体
（１）発光帯状体の構造
本考案の発光帯状体１０は、扁平な筒状体２０と、筒状体２０の長手方向に沿うように配設された複数の発光ダイオード１４と、を備えた発光帯状体１０であって、発光ダイオード１４は、発光部１４ａ、幹部１４ｂ、及びアウターリード１４ｃを備え、筒状体２０には複数の発光ダイオード１４の取付孔１１ｂが穿設されるとともに、発光ダイオード１４は、発光部１４ａが取付孔１１ｂから露出し、幹部１４ｂ、及びアウターリード１４ｃが、筒状体内部に配置され、且つ筒状体内部に充填された樹脂にて固着されていることを特徴とする。
【００１１】
上記「扁平な筒状体２０」は、発光帯状体１０の基体をなすものである。この筒状体２０の形成方法は特に限定されない。筒状体２０は、例えば、帯状体１１を少なくとも縁部１１ａが重ね合わせられるように幅方向に丸め、且つ縁部１１ａを固定することにより形成することができる。
【００１２】
筒状体２０を構成する帯状体１１の材質は特に限定されないが、帯状体１１は、皮革、合成皮革、布又は合成樹脂等の柔軟な材質からなることが好ましい。これらの柔軟な材料を使用すれば、帯状体１１を幅方向に容易に丸めることができ、筒状体２０が形成し易い。また、柔軟な材質からなる筒状体２０であれば、発光帯状体１０を、環状、直線状等の自在な形状とすることができ、特に、動物の首輪、胴輪、引き綱等の用途において有用である。
【００１３】
帯状体１１を幅方向に丸め、扁平な筒状体２０とする場合、例えば、帯状体１１を幅方向に折り曲げて筒状体２０とすることができる。即ち、帯状体１１を幅方向に２回折り曲げ、［即ち、三つ折り、図１、２及び図３（ｄ）参照］、幅方向の中央部の重ね合わせられた縁部１１ａを固定すればよい。この固定の方法は特に限定されず、縫合してもよいし、接着剤により接合してもよいし、接着剤により接合し、且つ縫合してもよい。これらの方法のうちでは、縫合する方法が好ましく、接着剤により接合し、且つ縫合することがより好ましい。
【００１４】
筒状体２０には、その長手方向（例えば、図１において紙面に対して直角方向）に複数の上記「発光ダイオード１４」が配設されている。この発光ダイオード１４の発光色の色調は特に限定されず、赤色、緑色、青色及び白色等のいずれであってもよい。更に、２色以上の異なる発光色の発光ダイオードを組み合わせて用いてもよい。この場合、発光色の組み合わせは特に限定されない。また、発光色の異なる発光ダイオード１４の各々の配置も特に限定されず、ランダムであってもよく、規則的であってもよい。
【００１５】
複数の発光ダイオード１４の各々はリード線（図示せず）により相互に接続されており、リード線は電源部（図示せず）に接続されている。電源部は発光帯状体１０の用途によって適宜の位置に配設することができる。また、発光ダイオード１４は、電源部に併設されたスイッチ（図示せず）、又は電源部とは離間した位置に配設されたスイッチのオンオフによって発光させたり、消光させたりすることができる。発光ダイオードは、制御回路により発光と消光とを制御することもできる。例えば、各々の発光ダイオード１４を点滅させることができる。更に、筒状体２０の一方の端部から他方の端部へと順次発光させ、且つ消光させることもできる。
【００１６】
発光ダイオード１４は、その発光部１４ａが筒状体２０の長手方向に形成された複数の取付孔１１ｂから露出するように配設されている。取付孔１１ｂ及び発光ダイオード１４の各々の個数は特に限定されず、発光帯状体１０の用途等によって設定することができる。取付孔１１ｂ及び発光ダイオード１４のそれぞれの個数は、通常、同数であるが、筒状体２０には取付孔１４ｂを除く他の貫通孔を形成することもできる。
【００１７】
複数の発光ダイオード１４の各々の幹部１４ｂ及びアウターリード１４ｃ、並びにそれぞれの発光ダイオード１４を接続するリード線は、樹脂により筒状体２０の内部に固着され、樹脂固着部１３が形成されている。これにより、発光帯状体１０を振動させたり、引っ張ったりした場合の、発光ダイオード１４の脱落、及びリード線の断線等が抑えられる。また、樹脂は一般に優れた耐水性を有するため、発光帯状体１０が被水したときにも耐久性等の低下が抑えられる。
【００１８】
樹脂は特に限定されず、熱可塑性樹脂及び熱硬化性樹脂のいずれも用いることができる。熱可塑性樹脂としては、ポリオレフィン、ポリアミド、ポリエステル等の汎用の樹脂を用いることができる。また、熱硬化性樹脂としては、エポキシ樹脂、ポリウレタン樹脂、フェノール樹脂等が挙げられる。発光帯状体１０の用途によっては、樹脂は軟質であることが好ましく、この場合、熱可塑性樹脂が好ましい。この軟質の熱可塑性樹脂は特に限定されないが、例えば、エチレン−酢酸ビニル共重合樹脂、エチレン−塩化ビニル共重合樹脂、軟質塩化ビニル樹脂等が挙げられる。また、軟質の樹脂として各種のエラストマーを用いることもできる。このエラストマーは特に限定されないが、例えば、スチレン系エラストマー、オレフィン系エラストマー、ウレタン系エラストマー等の熱可塑性エラストマーなどが挙げられる。
【００１９】
樹脂としては、溶融状態で、各々の発光ダイオード１４の幹部１４ｂ及びアウターリード１４ｃ、並びにリード線を被覆し、その後、固化させることにより、発光ダイオード１４及びリード線を筒状体２０の内部に接合させて固着させることができるホットメルト接着剤が好ましい。このホットメルト接着剤は特に限定されず、エチレン−エチルアクリレート共重合樹脂、エチレン−アクリル酸共重合樹脂及びマレイン酸変性ポリエチレン等の各種のホットメルト接着剤を用いることができる。このホットメルト接着剤を用いた場合、作業性に優れ、固化した後は強度が大きく、且つ発光ダイオード１４及びリード線を筒状体の内部に強固に固着させることができる。
【００２０】
樹脂は、筒状体２０の内部に充填されている。この樹脂は、発光ダイオード１４及びリード線を固着することができればよく、筒状体２０の内部全体に充填されていてもよく、固着に必要な部分のみに充填されていてもよい。強靱な耐久性の高い発光帯状体１０とするためには、樹脂は筒状体２０の内部全体に充填されていることが好ましい。特に、樹脂が軟質であり、発光帯状体１０が犬等の動物の首輪などとして用いられるときは、樹脂は筒状体２０の内部全体に充填されていることが好ましく、これによって、より強靱な耐久性の高い首輪等とすることができる。
【００２１】
（２）発光帯状体の製造方法
本考案の発光帯状体１０の製造方法は特に限定されない。以下、図３を参照しつつ製造方法の一例について説明する。
先ず、皮革、合成皮革、布又は合成樹脂シート等からなる帯状体１１を準備する。その後、帯状体１１の長手方向（例えば、図３において紙面に対して直角方向）に発光ダイオード１４の発光部１４ａを露出させるための取付孔１１ｂを、配設する発光ダイオード１４の個数分形成する［図３（ａ）参照］。次いで、それぞれの取付孔１１ｂに発光ダイオード１４を発光部１４ａが下方に向くようにして嵌め込む［図３（ｂ）参照］。
尚、発光ダイオード１４のアウターリード１４ｃには、予めリード線（図示せず）が接続されており、このリード線は電源部（図示せず）に接続されている。この電源部は、発光ダイオード１４を点灯させるための電源となる電池を収納するケース、ケースに収納された電池及びスイッチ等を有している。
【００２２】
その後、ホットメルト接着剤等の樹脂を、溶融状態で、発光ダイオード１４の幹部１４ｂ及びアウターリード１４ｃと、リード線とが被覆されるように、且つ筒状体２０の内部に充填されるように供給する。次いで、帯状体１１を三つ折りに折り曲げ、発光ダイオード１４に対向する位置において縁部１１ａを重ね合わせて扁平な筒状体２０とし、この縁部１１ａを縫合して発光帯状体１０を製造することができる［図３（ｄ）参照］。
尚、供給された樹脂は縁部１１ａが縫合されるまでには固化し、樹脂固着部１３が形成される［図３（ｃ）参照］。また、縫合前に縫合される面に接着剤を塗布し、その後、縫合することにより、帯状体１１の縁部１１ａをより強固に一体に固定し、強靱な筒状体２０とすることもできる。
【００２３】
帯状体１１を幅方向に丸め、扁平な筒状体２０とする場合、他の態様とすることもできる。
例えば、折り曲げの回数が２回である場合、折り曲げられた部分の幅方向の重なり部分の寸法を大きくして、筒状体２０の外面となる縁部１１ａを固定してもよい（図４参照）。また、筒状体２０の外面となる縁部１１ａ、及び筒状体２０の内部側の縁部１１ａの両方を固定してもよい（図５参照）。更に、折り曲げの回数を１回とし（即ち、二つ折り、図６参照）、筒状体の幅方向の一方の側で縁部１１ａを固定してもよい。また、配設された複数の発光ダイオード１４の両側部分を、筒状体２０の全長さに渡って縫合して固定することもできる。このようにすれば、発光ダイオード１４をより安定して配設することができる。
【００２４】
（３）発光帯状体の用途
本考案の発光帯状体１０の用途は特に限定されない。例えば、動物に装着される首輪、胴輪、首輪に取り付けられる引き綱、又は胴輪に取り付けられる引き綱等として用いることができる。この動物は特に限定されず、人に飼われ、散歩等の目的で人に連れられて外出することのある動物が挙げられる。この動物としては、犬、猫、兎、豚、狐、狸、小熊又は猿等が挙げられる。これらのうちでは、人に飼われることが多い犬及び猫、特に散歩を欠かすことができない犬の首輪等として特に有用である。
【００２５】
以下、首輪、胴輪及び引き綱の各々について図を参照しつつ詳しく説明する。
（Ａ）首輪
図７は、本考案の発光帯状体１０を用いた動物の首輪の模式図な斜視図である。
この発光首輪３０には、長手方向に複数の発光ダイオード３５が配設されており、発光帯状体１０により構成されている首輪本体３１の構造は図１と同様であり、この構造については前記の発光帯状体１０に関する記載をそのまま適用することができる。
【００２６】
発光首輪３０の発光帯状体１０からなる首輪本体３１の長手方向の一方の端部にはバックル３２が取り付けられている。このバックル３２は、通常の犬用の首輪と同様に止め金３２ａを有する。また、首輪本体３１には、バックル３２の近傍に止め具３３及び連結環３４が取り付けられている。更に、この発光首輪３０は、連結環３４の近傍に電源部３６を備え、首輪本体３１の他方の端部側には複数の止め孔３７が設けられている。首輪本体３１の材質は、前記のとおりであるが、動物が小型であるときは、皮革及び合成皮革の他、布及び合成樹脂等を用いてもよく、動物が大型であるときは、布及び合成樹脂等を用いることもできるが、より強靱な皮革又は合成皮革を用いることが好ましい。
【００２７】
発光首輪３０において、各々の発光ダイオード３５は、首輪本体３１の内部に固着されたリード線によって電源部３６に接続されている。また、この電源部３６には電池ケース及びこの電池ケースに装着された電池が内蔵されており、電源部３６の表面に設けられたスイッチ３６ａをオンにすることにより、それぞれの発光ダイオード３５を発光させることができる。
尚、電源部３６は連結環３４の近傍のみでなく、他の位置に備えられていてもよく、場合によっては人が手に持っていてもよい。また、電源部３６には、例えば、リレー式に各々の発光ダイオードを点滅させる、又は発光首輪３０の一方の端部から他方の端部へと順次発光させ、且つ消光させるような制御基板が更に配設されていてもよい。
【００２８】
この発光首輪３０は、以下のようにして使用することができる。
先ず、発光首輪３０の首輪本体３１を犬等の動物６０の首に巻き付け、首輪本体３１の他方の端部側をバックル３２に差し込み、その後、止め金３２ａを動物の首周りの寸法に合った止め孔３７に嵌入させ、次いで、首輪本体３１の他方の端部側を止め具３３及び連結環３４に装通させて発光首輪３０を動物の首に装着する。外出に際しては、連結環３４に引き綱（図示せず）を取り付け、電源部３６のスイッチ３６ａをオンにし、発光ダイオード３５を発光させる。これにより、自動車を運転する人から動物の存在を確認し易く、動物を交通事故から守ることができ、同時に連れている人の身を守ることもできる。
【００２９】
この発光首輪３０では、前記のように、発光ダイオード３５及びリード線がホットメルト接着剤等の樹脂によって首輪本体３１（筒状体２０）の内部に固着されている。従って、動物の動きによって発光首輪３０が振り回されたり、引っ張られたりしても、発光ダイオード３５が脱落したり、リード線が断線したりすることが防止される。更に、樹脂により防水性も向上するため、降雨時等に外出して、雨に濡れても品質低下が少ない。
【００３０】
（Ｂ）胴輪
図８は、本考案の発光帯状体１０を用いた動物の胴輪と、この胴輪を装着した犬の様子を示す説明図である。
この発光胴輪４０には、長手方向に複数の発光ダイオード４２が配設されており、発光帯状体１０により構成されている胴輪本体４１の構造は図１と同様であり、この構造については前記の発光帯状体に関する記載をそのまま適用することができる。
【００３１】
発光胴輪４０は、犬等の動物６０の首に巻き回される部分と、胴に巻き回される部分とを有する胴輪本体４１を備え、この胴輪本体４１の各々の端部は、動物６０の背部上面に位置するように配設された電源部４３に設けられた４箇所の貫通孔に装通されて固定されている。電源部４３には電池ケース及びこの電池ケースに装着された電池が内蔵されており、電源部４３の上面にはスイッチ４３ａ及び連結環４４が設けられている。このスイッチ４３ａをオンにすることにより、それぞれの発光ダイオード４２を発光させることができる。
尚、電源部４３は動物６０の背部上面のみでなく、他の位置に備えられていてもよく、場合によっては人が手に持っていてもよい。また、電源部４３には、例えば、リレー式に各々の発光ダイオードを点滅させる、又は発光胴輪４０の長手方向に順次発光させ、且つ消光させるような制御基板が更に配設されていてもよい。
【００３２】
発光胴輪４０は、連結環４４に引き綱を取り付け、発光首輪３０と同様に発光させて用いることができる。この発光胴輪４０を用いた場合の作用、効果は、発光首輪３０と同様であるため説明は省略する。
【００３３】
（Ｃ）引き綱
図９は、本考案の発光帯状体１０を用いた動物用の引き綱の模式図である。
この発光引き綱５０には、長手方向に複数の発光ダイオード５３が配設されており、発光帯状体１０により構成されている引き綱本体５１の構造は図１と同様であり、この構造については前記の発光帯状体１０に関する記載をそのまま適用することができる。
【００３４】
発光引き綱５０は、一方の端部に、この発光引き綱５０を発光首輪３０の連結環３４及び発光胴輪４０の連結環４４に取り付けるための連結金具５２を有する。また、他方の端部は直線状でもよいが、人が持ち易いように、また、犬等の動物が急に引っ張ったりした場合に、人が発光引き綱５０を離してしまうことのないように、通常、環状に形成されていることが好ましい。更に、この他方の端部に人が持ち易いように、且つ動物の急な動きによって引き綱を離してしまうことのないように、把持用の金具等を別途取り付けてもよい。
【００３５】
発光引き綱５０には、発光ダイオード５３を発光させるための電源部及びスイッチ（いずれも図示せず）が配設されていてもよく、配設されていなくてもよい。電源部及びスイッチが配設されている場合、その位置は特に限定されないが、発光首輪３０及び発光胴輪４０に取り付ける側の端部、又は人が持つ側の端部に配設することが好ましい。発光引き綱５０に電源部及びスイッチが配設されていないときは、発光ダイオード５３を発光首輪３０又は発光胴輪４０の電源部に接続することができ、それらのオンオフと連動させるようにすることもできる。
【００３６】
発光引き綱５０は、発光首輪３０及び発光胴輪４０に取り付け、これらと同様に発光させて用いることができる。この発光引き綱５０を用いた場合、発光箇所が増加するため、動物を連れて夜間等に外出する際の安全性をより高めることができる。
【００３７】
［２］動物用外出セット
本考案の動物用外出セットは、動物の首輪及び胴輪として用いられる本考案の発光帯状体１０と、発光ワッペン７０との組み合せからなり、発光ワッペンは、ワッペン基材７１と、ワッペン基材に配設された複数の発光ダイオード７２と、複数の発光ダイオードの各々を接続するリード線と、リード線に接続された電源部とを備えることを特徴とする。
【００３８】
図１０は、中心部に犬の写真７４が配設された本考案の動物用外出セットに用いられる発光ワッペン７０の一例を正面からみた模式図である。
また、図１１は、図１０の発光ワッペン７０の側部に更に犬の名前７５が記載された本考案の動物用外出セットに用いられる発光ワッペン７０の他の例を正面からみた模式図である。
【００３９】
図１０の発光ワッペン７０では、平面形状が円形のワッペン基材７１の周縁部に複数の発光ダイオード７２が環状に配設されているが、ワッペン基材７１の平面形状は、円形に限定されない。このワッペン基材７１の平面形状は、楕円形並びに三角形、四角形、五角形及び六角形等の多角形などの所望の形状とすることができる。また、発光ダイオード７２の配設位置も特に限定されず、環状に配設してもよく、直線状に配設してもよい。更に、所定間隔で規則的に配設してもよく、ランダムに配設してもよいが、規則的に配設することが美観の点で好ましい。更に、発光ダイオード７２は、環状に、且つ所定間隔で規則的に配設することがより好ましい。このようにすれば、美観に優れた発光ワッペン７０とすることができる。
尚、ワッペン基材７１の材質については、発光帯状体１０における帯状体１１の材質に関する前記の記載をそのまま適用することができる。更に、発光ダイオード７２の発光色については、発光帯状体１０が有する発光ダイオード１４に関する前記の記載をそのまま適用することができる。
【００４０】
発光ワッペン７０は、各々の発光ダイオード７２を接続するリード線及びこのリード線に接続される電源部（いずれも図示せず）並びにスイッチ７３を備える。リード線及び電池が装着された電池ケースが内蔵された電源部は、通常、ワッペン基材７１の裏面に配設される。また、スイッチ７３は、操作性及び美観等を考慮し、ワッペン基材７１の表面、側面及び裏面のうちのいずれに設けてもよい。このスイッチを裏面に設けた場合は、操作性はやや低下するかもしれないが、発光ワッペン７０の美観は向上する。
【００４１】
発光ダイオード７２及びリード線をワッペン基材７１に固定する方法は特に限定されないが、例えば、筒状体の内部に発光ダイオード及びリード線を固着するときと同様にして、ワッペン基材７１の裏面に樹脂により固着して固定することができる。この場合、ワッペン基材７１に発光ダイオード７２を配設するための取付孔を設け、発光ダイオード７２の発光部がワッペン基材の表面に露出するようにし、裏面に発光ダイオードの幹部及びアウターリード、並びにリード線が被覆されるように樹脂を供給し、その後、固化させて固着することができる。このように樹脂により固着させることで、発光ワッペン７０の振動等による発光ダイオード７２等の脱落が防止され、防水性に優れた発光ワッペン７０とすることができる。この固着に用いられる樹脂については、筒状体２０の内部に発光ダイオード１４を固着する際に用いる樹脂に関する記載をそのまま適用することができる。
【００４２】
この動物用外出セットでは、筒状体に配設された発光ダイオード、及びワッペン基材に配設された発光ダイオードの少なくとも一方が点滅するように制御することもできる。一方のみを点滅させる場合、いずれを点滅させてもよい。また、両方の発光ダイオードを点滅させれば、自動車を運転する人からの視認性を高めることができる。このように少なくとも一方の発光ダイオードが点滅するようにすれば、自動車を運転する人から動物と人を十分に確認することができ、動物及び人の双方の安全性が高められる。
【００４３】
更に、この動物用外出セットでは、筒状体に配設された発光ダイオード、及びワッペン基材に配設された発光ダイオードが点滅し、且つ各々の発光ダイオードの点滅周期が異なるように制御することもできる。この場合、いずれの発光ダイオードの点滅周期を長くしてもよい。また、各々の発光ダイオードの点滅周期を変化させてもよい。このようにすれば、動物及び人の双方の安全性がより高められる。
【００４４】
ワッペン基材７１の表面には更に動物の写真又は似顔絵７４を配設することができる。この写真又は似顔絵７４により動物と人との一体感が生じる。この写真又は似顔絵７４が配設される位置は特に限定されず、ワッペン基材７１の中央部でもよく、周縁部でもよい。この写真又は似顔絵７４は中央部に配設されることが好ましく（図１０及び図１１参照）、このようにすれば動物と人との一体感が向上する。写真又は似顔絵７４を配設する方法は特に限定されない。写真又は似顔絵７４は、例えば、ワッペン基材７１に接着剤により接合して配設することができ、縫い付けて配設することができる。また、降雨時等に濡れてしまわないように、透明な樹脂フィルムに収納して配設する、又は写真７４等をワッペン基材７１に配設した後、更にその表面を覆うようにして透明な樹脂フィルムを接合する、又は縫い付けることが好ましい。
【００４５】
ワッペン基材７１の表面には更に動物の名前７５が記載されていてもよい。動物の写真又は似顔絵７４を配設し、更に名前７５を記載することによって、動物と人との一体感がより向上する。この名前７５が記載される位置は特に限定されず、ワッペン基材７１の中央部でもよく、周縁部でもよい。この名前７５は、写真又は似顔絵７４が中央部に配設されたときは、写真又は似顔絵７４の左側（図１１参照）、右側、上部又は下部に記載されることが好ましい。名前７５を記載する方法は特に限定されない。例えば、油性の筆記用具等によりワッペン基材の表面に記載することができ、刺繍等により記載することもできる。
尚、首輪本体３１、胴輪本体４１及びワッペン基材７１の各々の材質を統一し、例えば、いずれも皮革又は合成皮革を用いることによって動物と人との一体感を更に向上させることもできる。
【図面の簡単な説明】
【００４６】
【図１】帯状体が三つ折りされ、中央部が縫合されている本考案の発光帯状体の一例の断面を示す模式図である。
【図２】図１の発光帯状体の模式的な斜視図である。
【図３】図１及び図２の本考案の発光帯状体の製造工程の一例を模式的に示す説明図である。  （ａ）は取付孔が形成された帯状体の断面を示す説明図である。（ｂ）は帯状体の取付孔から発光ダイオードが露出している様子を模式的に示す説明図である。（ｃ）は帯状体の、発光ダイオードのアウターリードが配置されている部分に、ホットメルト接着剤が塗布された様子を示す説明図である。（ｄ）は帯状体が幅方向に折り曲げられて作製された発光帯状体の断面を示す説明図である。
【図４】帯状体が三つ折りされ、ほぼ全幅に渡って３重に重ね合わせられ、一方の縁部が縫合されてなる本考案の発光帯状体の他の例の断面を示す模式図である。
【図５】図４の発光帯状体であって、幅方向の両縁部が縫合されている発光帯状体の断面を示す模式図である。
【図６】帯状体が二つ折りされ、縁部が縫合されている本考案の発光帯状体の更に他の例の断面を示す模式図である。
【図７】本考案の発光帯状体を用いてなる犬等の動物の首輪の模式的な斜視図である。
【図８】本考案の発光帯状体を用いてなる胴輪と、この胴輪を装着した犬の様子を示す説明図である。
【図９】本考案の発光帯状体を用いてなる引き綱の模式図である。
【図１０】中心部に犬の写真が配設された本考案の動物用外出セットに用いられる発光ワッペンの一例を正面からみた模式図である。
【図１１】図１０の発光ワッペンの側部に更に犬の名前が記載された本考案の動物用外出セットに用いられる発光ワッペンの他の例を正面からみた模式図である。
【符号の説明】
【００４７】
１０；発光帯状体、２０；筒状体、１１；帯状体、１１ａ；縁部、１１ｂ；取付孔、１２；筒状体の内部、１３；樹脂固着部、１４；発光ダイオード、１４ａ；発光部、１４ｂ；幹部、１４ｃ；アウターリード、３０；発光首輪、３１；首輪本体、３２；バックル、３２ａ；止め金、３３；止め具、３４；連結環、３５；発光ダイオード、３６；電源部、３６ａ；スイッチ、３７；止め孔、４０；発光胴輪、４１；胴輪本体、４２；発光ダイオード、４３；電源部、４３ａ；スイッチ、４４；連結環、５０；発光引き綱、５１；引き綱本体、５２；連結金具、５３；発光ダイオード、６０；犬、７０；発光ワッペン、７１；ワッペン基材、７２；発光ダイオード、７３；スイッチ、７４；写真又は似顔絵、７５；犬の名前（ラッキー）。
【図１】
0003122008.tif 000003
【図２】
0003122008.tif 000004
【図３】
0003122008.tif 000005
【図４】
0003122008.tif 000006
【図５】
0003122008.tif 000007
【図６】
0003122008.tif 000008
【図７】
0003122008.tif 000009
【図８】
0003122008.tif 000010
【図９】
0003122008.tif 000011
【図１０】
0003122008.tif 000012
【図１１】
0003122008.tif 000013